(57)【要約】【課題】電気光学装置において、インターレース駆動方式を採用して低消費電力化を達成するとともに、該方式を原因として発生するジッタの発生を抑制することで高品質な画像表示をも可能とする。【解決手段】走査線とデータ線との交差領域に対応して設けられた画素電極を含む画素部を駆動する電気光学装置にあって、まず、前記走査線を飛び飛びに選択していく。そして、前記データ線の一には、本来表示すべき階調に一の補正量（＋ΔＧ）を重畳させた階調を表すデータ信号を供給するとともに、前記データ線の他の一には、本来表示すべき階調に前記一の補正量とは異なる値の別の補正量（−ΔＧ）を重畳させた階調を表すデータ信号を供給することで、これらのデータ線及び前記選択された走査線の交差領域における前記画素部を駆動する。なお、図は画素部毎に割り当てられた補正量の一例である。【選択図】　　　図９
2004020639.tif 000002
【特許請求の範囲】
【請求項１】
走査線とデータ線との交差領域に対応して設けられた画素電極を含む画素部を駆動する電気光学装置であって、
前記走査線を飛び飛びに選択していくことにより、該走査線のすべての選択を複数の垂直走査期間にわたって行う走査線駆動回路と、
前記データ線の一には、本来表示すべき階調に一の補正量を重畳させた階調を表すデータ信号を供給するとともに、
前記データ線の他の一には、本来表示すべき階調に前記一の補正量とは異なる値の別の補正量を重畳させた階調を表すデータ信号を供給することで、
これらのデータ線及び前記走査線駆動回路により選択された走査線の交差領域における前記画素部を駆動するデータ線駆動回路と
を備えたことを特徴とする電気光学装置。
【請求項２】
ある前記垂直走査期間において前記画素部に書き込まれるデータ信号に重畳される第１の前記補正量と、別の前記垂直走査期間において同じ画素部に書き込まれるデータ信号に重畳される第２の前記補正量とは、互いに打ち消しあう関係にあることを特徴とする請求項１に記載の電気光学装置。
【請求項３】
前記第１及び第２の補正量は、その値が同じで極性が反転した関係にあることを特徴とする請求項２に記載の電気光学装置。
【請求項４】
前記一の補正量の値が前記第１の補正量の値に一致し、かつ、前記別の補正量の値が前記第２の補正量の値に一致することを特徴とする請求項２又は３に記載の電気光学装置。
【請求項５】
前記画素部はマトリクス状に配列されてなるとともに、前記走査線及び前記データ線は前記マトリクス状に対応した形状に配置されてなり、
前記補正量は、前記画素部の一つ一つに対応するように固有の値を有していることを特徴とする請求項１乃至４のいずれか一項に記載の電気光学装置。
【請求項６】
前記補正量は、前記走査線に沿って交互に異なる値を有していることを特徴とする請求項５に記載の電気光学装置。
【請求項７】
前記補正量は、相隣る走査線間かつ同一のデータ線に沿って交互に異なる値を有していることを特徴とする請求項６に記載の電気光学装置。
【請求項８】
前記本来表示すべき階調は、両極端にある階調以外の階調を含むことを特徴とする請求項１乃至７のいずれか一項に記載の電気光学装置。
【請求項９】
前記本来表示すべき階調のうちの少なくとも一の階調については、補正量を重畳させないデータ信号を供給することを特徴とする請求項１乃至８のいずれか一項に記載の電気光学装置。
【請求項１０】
前記走査線駆動回路は、
一の走査線の選択を一の極性で行った後には、次に選択すべき走査線を前記一の極性とは反転した関係にある他の極性で選択することを特徴とする請求項１乃至９のいずれか一項に記載の電気光学装置。
【請求項１１】
前記走査線駆動回路は、
一の垂直走査期間における一の走査線の選択を一の極性で行った後には、当該一の走査線を次に選択するための次の垂直走査期間において、当該一の走査線を前記一の極性とは反転した関係にある他の極性で選択することを特徴とする請求項１乃至１０のいずれか一項に記載の電気光学装置。
【請求項１２】
前記画素部は、
前記走査線及び前記データ線のいずれか一方にその一端が接続された二端子型スイッチング素子と、
前記走査線及び前記データ線のいずれか他方と前記二端子型スイッチング素子の他端に接続された画素電極との間に電気光学物質が挟持された容量と、
を備えていることを特徴とする請求項１乃至１１のいずれか一項に記載の電気光学装置。
【請求項１３】
前記二端子型スイッチング素子は、導電体、絶縁体及び導電体の構造を有することを特徴とする請求項１２に記載の電気光学装置。
【請求項１４】
走査線とデータ線との交差領域に対応して設けられた画素電極を含む画素部を駆動する電気光学装置の駆動方法であって、
一の垂直走査期間中において、
前に選択した走査線から少なくとも１本以上離れた走査線を選択するステップと、
該走査線の選択中に、前記データ線の一には、本来表示すべき階調に一の補正量を重畳させた階調を表すデータ信号を供給するとともに、
前記データ線の他の一には、本来表示すべき階調に前記一の補正量とは異なる値の別の補正量を重畳させた階調を表すデータ信号を供給することで、
これらのデータ線及び前記選択された走査線の交差領域における前記画素部を駆動するステップと
を含むことを特徴とする電気光学装置の駆動方法。
【請求項１５】
前記一の垂直走査期間において選択された走査線を別の垂直走査期間中において選択するステップと、
該走査線の選択中に、前記データ線の一には、本来表示すべき階調に前記一の補正量とは打ち消しあう関係にある補正量を重畳させた階調を表すデータ信号を供給するとともに、
前記データ線の他の一には、本来表示すべき階調に前記別の補正量とは打ち消しあう関係にある補正量を重畳させた階調を表すデータ信号を供給することで、
これらのデータ線及び前記選択された走査線の交差領域における前記画素部を駆動するステップと
を更に含むことを特徴とする請求項１４に記載の電気光学装置の駆動方法。
【請求項１６】
前記一の補正量及び前記一の補正量とは打ち消しあう関係にある補正量は、その値が同じで極性が反転した関係にあり、かつ、前記別の補正量及び前記別の補正量とは打ち消しあう関係にある補正量は、その値が同じで極性が反転した関係にあることを特徴とする請求項１５に記載の電気光学装置の駆動方法。
【請求項１７】
請求項１乃至１３のいずれか一項に記載の電気光学装置を具備してなることを特徴とする電子機器。
【発明の詳細な説明】
【０００１】
【発明の属する技術分野】
本発明は、電気光学装置及びその駆動方法並びに電子機器の技術分野に属し、特に、薄膜ダイオード（Ｔｈｉｎ　Ｆｉｌｍ　Ｄｉｏｄｅ；以下、適宜「ＴＦＤ」という。）等が画素に対するスイッチング素子としての役割を担う液晶装置等の電気光学装置及びその駆動方法、並びに、そのような電気光学装置を具備してなる電子機器の技術分野に属する。
【０００２】
【背景技術】
近年、液晶等の電気光学物質の電気光学的変化を利用して、画像を表示することの可能な電気光学装置が、各種の電子機器やテレビなどに広く用いられている。これによれば、従来の陰極線管（ＣＲＴ）を用いたテレビ等では達成し得なかった、薄型化、小型化、低消費電力化等といった数多くの特徴を享受することができる。
【０００３】
このような電気光学装置には、既に数多くのタイプが提案されているが、その多くは適当な基準により分類することができる。例えば、駆動方式等による分類が一般的になされ、具体的には、スイッチングにより画素を駆動するアクティブ・マトリクス型と、スイッチング素子を用いないで画素を駆動するパッシブ・マトリクス型とに大別することができる。このうち、前者のアクティブ・マトリクス型では、スイッチング素子の種類によって更に、薄膜トランジスタ（Ｔｈｉｎ　Ｆｉｌｍ　Ｔｒａｎｓｉｓｔｏｒ；以下、適宜「ＴＦＴ」という。）などの三端子型スイッチング素子を用いるタイプと、ＴＦＤなどの二端子型スイッチング素子を用いるタイプとに大別することができる。
【０００４】
このうち後者のＴＦＤ等の二端子型スイッチング素子を用いる電気光学装置は、一の方向に沿って延在するセグメント電極としての複数のデータ線、これに交差する他の方向に沿って延在するコモン電極としての走査線、並びに該データ線及び該走査線間に挟持された液晶等の電気光学物質（以下、「液晶」に代表させる。）を備えている。これにより、例えば、液晶を誘電体とし、データ線に接続された画素電極及び走査線を一対の電極とする、コンデンサ、すなわち液晶容量が構成されることになる。そして、ＴＦＤは、前記のデータ線及び画素電極間に形成され、前記液晶容量に電界を印加するか否かのスイッチング素子としての役割を担うことになる。
【０００５】
【発明が解決しようとする課題】
しかしながら、上述のような電気光学装置においては、一般に、更なる低消費電力化という課題を抱えている。これは、該電気光学装置が、携帯電話等電池駆動が原則とされる電子機器に搭載されることが多いためである。また、近年における電子機器の多機能化は、電気光学装置の低消費電力化要求に拍車をかける。これは、画像表示を担う電気光学装置それ自体に求められる各種機能の多様化（例えば、動画表示）や、電気光学装置以外の各種装置（例えば、音声再生装置等）の搭載等の事情による。
【０００６】
このような低消費電力化を達成するため、従来においても、例えばインターレース駆動方式が提案されていた。これは、前述のような構成となる電気光学装置において、所定期間たる１フィールド内、あるいは１フレーム内で逐次にすべての走査線を駆動するのではなく、いわば飛び飛びに走査線を駆動することによって、駆動周波数を低減し、全体的な電力消費量を低下させようとする駆動方式である。
【０００７】
しかしながら、このようなインターレース駆動方式を採用すると、いわゆるジッタと呼ばれる画像ムラが表示されるため、未だ実用的な段階に至っていない。ここにジッタとは、走査線に沿ったムラが、画像上、上下に移動するように見える画像ムラのことである。これは、一の走査線に対応する一の画素電極に対してデータ信号の書き込みを行うと、該一の画素電極と該一の走査線に隣接する走査線に対応した隣接画素電極との間に生じる寄生容量を介して、前記書き込みに起因する電位変動が当該隣接画素電極に生じるために発生するものである。
【０００８】
本発明は、上記問題点に鑑みてなされたものであり、インターレース駆動方式を採用して低消費電力化を達成するとともに、該インターレース駆動方式を原因として発生するジッタ等の画像ムラの発生を抑制することで高品質な画像を表示することも可能な電気光学装置及びその駆動方法並びにそのような電気光学装置を具備してなる電子機器を提供することを課題とする。
【０００９】
【課題を解決するための手段】
本発明の電気光学装置は、上記課題を解決するため、走査線とデータ線との交差領域に対応して設けられた画素電極を含む画素部を駆動する電気光学装置であって、前記走査線を飛び飛びに選択していくことにより、該走査線のすべての選択を複数の垂直走査期間にわたって行う走査線駆動回路と、前記データ線の一には、本来表示すべき階調に一の補正量を重畳させた階調を表すデータ信号を供給するとともに、前記データ線の他の一には、本来表示すべき階調に前記一の補正量とは異なる値の別の補正量を重畳させた階調を表すデータ信号を供給することで、これらのデータ線及び前記走査線駆動回路により選択された走査線の交差領域における前記画素部を駆動するデータ線駆動回路とを備えている。
【００１０】
本発明の電気光学装置によれば、まず、走査線駆動回路が走査線を飛び飛びに選択していくことにより、該走査線のすべての選択を複数の垂直走査期間にわたって行う。すなわち、いわゆるインターレース駆動を行うことになる。これによれば、各垂直走査期間において、すべての走査線の選択を行う通常の駆動方法に比べ、駆動周波数を下げることができるから、消費電力の低下を実現することが可能となる。また、この駆動方法によれば、クロストークの軽減等も図ることができる。
【００１１】
しかしながら、このようなインターレース駆動では、既に述べたように、画像上に上下動する画像ムラ、すなわちジッタが発生することとなり、現段階において実用には至っていない。
【００１２】
そこで本発明では特に、画素部の駆動を次のように行う。すなわち、上述のように飛び飛びで選択された走査線に交差する各データ線に対して、本来表示すべき階調に適当な補正を加えたものを表すデータ信号を印加するのである。ここで「適当な補正」とは、当該走査線に沿って本来表示すべき階調に対し、異なる値を有する補正量を重畳させることをいう。
【００１３】
もう少し具体的に言えば、例えば、ある走査線上に交差する２本のデータ線に着目し、その２本のデータ線に応じて、該走査線に沿って本来表示すべき階調がＧ１及びＧ２である場合を仮定すると、これらに対して、走査線方向に沿って異なる値を有する補正量、例えばΔＧａ及びΔＧｂを加えるような処理（すなわち、Ｇ１＋ΔＧａ及びＧ２＋ΔＧｂ）を行うことを意味する。ただし、ΔＧａ≠ΔＧｂである。
【００１４】
本発明におけるデータ線駆動回路では、データ線に対し、このような処理を行った後の階調を表すデータ信号を供給することによって画素部を駆動する。すなわち、上述の具体例に沿って言えば、前記走査線上では、Ｇ１＋ΔＧａ及びＧ２＋ΔＧｂなる階調を有する線状の画像が表示されることになる。
【００１５】
そして本発明では、このような画像表示を行うことにより、前記ジッタの発生を抑制することが可能となるのである。これは以下の事情による。
【００１６】
まず、ジッタの発生機構について簡単に説明しておく。なお、ここでは便宜上、第１、第２及び第３走査線という３本の走査線に着目した説明を行うこととする。第一に、第１走査線に対応する第１画素電極に対してデータ信号の書き込みを行うと、この第１画素電極と第１走査線に隣接する第２走査線に対応した第２画素電極との間に生じる寄生容量を介して、前記書き込みに起因する電位変動が当該第２画素電極に生じる。第二に、このような電位変動が生じると、当該第２画素電極を含む画素部で表示されている階調は、明るく、又は暗くなる。なお、このような明暗のムラは、第２走査線に沿って、横一線のムラとして観察されることになる。第三に、本発明において採用されるインターレース駆動では、前記第１走査線が選択される垂直走査期間の次の垂直走査期間中に、前記第２走査線の選択、すなわち前記第２画素電極を含む画素部の駆動が実行される。第四に、前記第三の画素部の駆動により、第２画素電極に隣接する第３画素電極において、第一に述べたと同様な電位変動が生じる。これにより、当該第３画素電極を含む画素部で表示されている階調は、明るく、又は暗くなり、このような明暗のムラは、第３走査線に沿う横一線のムラとして観察されることになる。
【００１７】
このようなことから、上の例では、第２走査線に沿った明暗のムラが、第３走査線に沿った明暗のムラへと移行するかのような事象が発生することになる。以降の走査線選択でも同様な事象が起きるから、結局、上の例では、画像上で下に移動するように見える画像ムラ、すなわちジッタが発生することになるのである。
【００１８】
さて、そこで本発明では、上述のように、例えば、走査線上でＧ１＋ΔＧａ及びＧ２＋ΔＧｂという異なる階調を有する線状の画像を表示するのであるが、これは次のような意義を帯びることになる。すなわち、このような線状の画像を、前記第１走査線で表示する場合を考えると、それに相隣る第２走査線に現れる明暗のムラは、補正量ΔＧａ及びΔＧｂに応じた明暗を含むものとなる。したがって、このような場合においては、第２走査線に沿って現れる明暗のムラは、上述のように横一線のものとしではなく、走査線に交わる方向に、いわば分断されたような形で表示されることになるのである。つまり、これによると、厳密に言えばジッタは発生しているものの、該ジッタをもはや視認することが困難な画像が表示されるということになる。
【００１９】
このように、本発明によれば、走査線上に横一線で現れるジッタを分断することで、該ジッタの視認を困難にし、実質的にみれば、そのようなジッタが現れていない画像を表示することが可能となるのである。
【００２０】
以上により、本発明によれば、インターレース駆動方式を採用することで、低消費電力化というメリットを享受することが可能であるにもかかわらず、ジッタの発生を抑制することによって高品質な画像を表示するというメリットをも享受することが可能な電気光学装置を提供することが可能となるのである。
【００２１】
なお、本発明においては、上述のような異なる補正量ΔＧａ及びΔＧｂは、「データ線の一」及び「データ線の他の一」に少なくとも供給される。ここで、データ線は通常多数本設けられることが一般的であるから、これら「データ線の一」及び「データ線の他の一」というのは、当該多数本のデータ線の中の任意の２本という程度の意味となる。より具体的に言えば、いま、データ線Ｄ１、Ｄ２、Ｄ３、…があるとすると、〔Ｉ〕データ線Ｄ１に補正量ΔＧａが対応し、データ線Ｄ２及びＤ３に補正量ΔＧｂが対応するとともに、以降、データ線Ｄ４、Ｄ７、Ｄ１０、…に補正量ΔＧａが対応し、データ線Ｄ５及びＤ６、Ｄ８及びＤ９、Ｄ１１及びＤ１２、…に補正量ΔＧｂが対応するという形態や、〔ＩＩ〕データ線Ｄ１、Ｄ３、Ｄ５、…に補正量ΔＧａが対応し、データ線Ｄ２、Ｄ４、Ｄ６、…に補正量ΔＧｂが対応するという形態等を考えることができる。なお、どちらの場合でも、例えば、データ線Ｄ１が「データ線の一」に該当し、データ線Ｄ２が「データ線の他の一」に該当する、と考えることができる。
【００２２】
また、本発明では、少なくとも二つの異なる値の補正量の存在は必要であるが、二つに限る必要はない。場合によっては、三つ以上の異なる補正量を用いる形態としても本発明の範囲内にあることは言うまでもない。更に三つ以上の異なる補正量の内、一は補正量０としても良い。
【００２３】
いずれにせよ、上述したジッタの分断という作用は、上記のどの形態でも得られることに変わりはない。
【００２４】
また、本発明にいう「走査線を飛び飛びに選択」というのは、上述の具体例のように、１本おきに走査線を選択していくという形態に限られるものではない。例えば、２本以上おきに走査線を選択していく場合も当然に含まれる。
【００２５】
さらに、本発明において、「本来表示すべき階調」とは、例えば、当該電気光学装置に接続された画像メモリから読み出された画像信号、あるいは所定の画像信号が記録されたビデオテープ、ＤＶＤ等の記憶媒体からビデオテーププレーヤ、ＤＶＤプレーヤ等によって読み出された画像信号等に基づいて取得することができる。要は、本発明に係る補正量を加えずに、そのままの形で表示するという場合における階調が、「本来表示すべき階調」である。
【００２６】
加えて、このような階調を表示するためには、いわゆるパルス幅変調方式を想定することができるが、本発明はこれに限らず、電圧振幅変調方式によってもよい。
【００２７】
更に加えて、本発明に言う「電気光学装置」とは、一般的には、前記走査線及び前記データ線等における通電等を通じた適当な電界の印加により、その状態を変じ、かつ、その光学的特性が変化する電気光学物質を備えたものが想定される。
【００２８】
このような電気光学物質として、より具体的には例えば、液晶を挙げることができる。この場合においては、該液晶に対して前記適当な電界を印加すると、分子集合の配向や秩序が変化することで、光の透過率が変化することになる。したがって、該液晶に対して、予め光を入射しておけば、その光の透過量を制御することが可能となり、画像の表示が可能となるのである。また、前記電気光学物質の別の例としては、適当なバインダ内に分散された粉末ＥＬ（エレクトロ・ルミネッセンス）、あるいは無機又は有機ＥＬ等を挙げることもできる。この場合においては、ＥＬに対して電界を印加すると、それ自身が発光することで、画像が表示されるというメカニズムとなる。
【００２９】
本発明の電気光学装置の一態様では、ある前記垂直走査期間において前記画素部に書き込まれるデータ信号に重畳される第１の前記補正量と、別の前記垂直走査期間において、同じ画素部に書き込まれるデータ信号に重畳される第２の前記補正量とは、互いに打ち消しあう関係にある。
【００３０】
この態様によれば、例えば、最初の垂直走査期間において、１、３、５、…というように奇数行目の走査線が選択され、次の垂直走査期間において、２、４、６、…というように偶数行目の走査線が選択される態様を考えると、その次の垂直走査期間においては、通常、再び１、３、５、…というように奇数行目の走査線が選択されることになる。そして、この場合、本態様では特に、例えば、先の垂直走査期間において、１行目の走査線と或るデータ線との交差領域における画素部に書き込まれたデータ信号に重畳された第１の補正量と、後の垂直走査期間におけるその同じ画素部に書き込まれるデータ信号に重畳される第２の補正量とは、互いに打ち消しあう関係にある。つまり、後の垂直走査期間においては、前の垂直走査期間において重畳された第１の補正量が、あたかも加えられなかったような効果を得るべく、第２の補正量の値が定められていることになるのである。
【００３１】
これにより、本態様では、前記本来表示すべき階調の表示を、好適に実現することができる。
【００３２】
そして、この態様では特に、前記第１及び第２の補正量は、その値が同じで極性が反転した関係にあるようにするとよい。
【００３３】
すなわち、第１の補正量が＋ΔＧである場合には、第２の補正量は−ΔＧであるということになる。このような構成にすれば、例えば、当該画素部において本来表示すべき階調がＧであるという場合において、ある垂直走査期間においては、当該画素部ではＧ＋ΔＧなる階調表示が行われ、別の垂直走査期間においては、Ｇ−ΔＧなる階調表示が行われることになるから、正味、（（Ｇ＋ΔＧ）＋（Ｇ−ΔＧ））／２＝Ｇなる階調表示が行われることになり、本来表示すべき階調Ｇの表示を好適に実現することができるのである。
【００３４】
また、このように、第１及び第２の補正量を使用する態様では、前記一の補正量の値が前記第１の補正量の値に一致し、かつ、前記別の補正量の値が前記第２の補正量の値に一致するようにするとよい。
【００３５】
このような構成によれば、扱う補正量の種類を最小限に抑えることができ、上述のような処理の簡便化を図ることができる。また、それにより処理の高速化等も図ることができる。
【００３６】
本発明の電気光学装置の他の態様では、前記画素部はマトリクス状に配列されてなるとともに、前記走査線及び前記データ線は前記マトリクス状に対応した形状に配置されてなり、前記補正量は、前記画素部の一つ一つに対応するように固有の値を有している。
【００３７】
この態様によれば、補正量が、画素部毎に固有の値を有していることから、上述したようなジッタの分断という作用効果をより効果的に享受することが可能となる。また、この態様では、例えば、補正量の値を一々定めるなどといった処理が必要ではないから、上述のような本発明に係る画素部駆動処理を簡易なものとすることができる。
【００３８】
なお、本態様に係る具体例としては、例えば、補正量が、ある走査線に沿って異なる値を有している態様、すなわち該走査線の方向に沿って配列する第１、第２及び第３データ線（すなわち、第１、第２及び第３画素部）に応じて、補正量ΔＧａ、ΔＧｂ及びΔＧｃが割り当てられる態様を想定することができる。ただし、本発明にいう「一の補正量」及び「別の補正量」の要件を満たすべく、これらΔＧａ、ΔＧｂ及びΔＧｃのうちの少なくとも二つの補正量は互いに異なる値を有していなければならない。例えば、ΔＧａ≠ΔＧｂ≠ΔＧｃであってΔＧａ≠ΔＧｃであるようなものとすればよいことは勿論、ΔＧａ＝ΔＧｂ≠ΔＧｃとか、ΔＧａ≠ΔＧｂ＝ΔＧｃ等としてもよい。
【００３９】
ちなみに、本発明にいう補正量は、当初に述べたとおり、本来表示すべき階調に対して重畳されるべきものであるから、その単位は、階調を表すべきものと同じである。したがって、本態様にいうような画素部毎に固有の値を有する補正量を用い、かつ、それらを表すデータ信号によって、対応する画素部に対する書き込みを実施したとすると、それに応じた画像が、（あくまでも観念的にとはいえ）表示されると考えることができる。そして、該画像は、前記固有の値に基づく所定パターンを有することとなる。
【００４０】
この態様では、前記補正量は、前記走査線に沿って交互に異なる値を有しているようにするとよい。
【００４１】
このような構成によれば、補正量が、相隣接する画素部に対応するように、かつ、走査線に沿って交互に異なる値を有している。つまり、上に述べた例に沿って言えば、第１データ線と第２データ線とが相隣接していて、かつ、ΔＧａ≠ΔＧｂであるようなものを一組とし、これらが走査線方向に沿って複数組配列されるような形態を思い浮かべることができる。要するに、補正量が、ΔＧａ、ΔＧｂ、ΔＧａ、ΔＧｂ、…というように配列することになる。
【００４２】
したがって、ジッタの分断という作用効果が、より確実に享受されることとなり、より高品質な画像表示が可能となる。
【００４３】
そして、このような構成では更に、前記補正量は、相隣る走査線間かつ同一のデータ線に沿って交互に異なる値を有しているようにするとよい。
【００４４】
このような構成によれば、ある画素部に対応する補正量がΔＧａであるという場合には、その上下左右に隣接する画素部に対応する補正量がΔＧｂであり、かつ、ある画素部に対応する補正量がΔＧｂであるという場合に、その上下左右に隣接する画素部に対応する補正量がΔＧａであるということになる。要するに、上述のように、補正量を表すデータ信号を用いて画像を表示する場合を想定すると、前記所定パターンが市松模様のパターンを描くような形態となる。
【００４５】
これによれば、ジッタの分断という作用効果が、より確実に奏されることは勿論、一の垂直走査期間内に表示すべき画像に対して、補正量に基づき重畳される所定パターンは市松模様のパターンということになり、該画像の表示を自然なものとすることができる。つまり、本態様によれば、より高品質な画像を表示することが可能となるのである。
【００４６】
本発明の電気光学装置の他の態様では、前記本来表示すべき階調は、両極端にある階調以外の階調を含む。
【００４７】
この態様によれば、本来表示すべき階調は、両極端にある階調以外の階調を含む。すなわち、いわゆる中間調を含むことになる。このような態様によれば、前記ジッタが中間調においてこそ、より明確に現れるという事情に鑑み、より効果的にジッタの発生を抑制することが可能となる。
【００４８】
本発明の電気光学装置の他の態様では、前記本来表示すべき階調のうちの少なくとも一の階調については前記補正量を重畳させない。
【００４９】
この態様によれば、例えば、本来表示すべき階調のうちの少なくとも一の階調については補正量が重畳されないから、当該一の階調を表すデータ信号を供給されたデータ線と選択された走査線との交差領域における画素部では、当該本来表示すべき階調の表示がそのままに行われることになる。
【００５０】
このとき、より好ましくは、当該少なくとも一の階調は、白又は黒というように両極端に位置する階調であるとするとよい。このようにすれば、ある一の画像上に、上述の白又は黒の階調が含まれるとともに中間調もまた含まれるという場合において、ジッタの影響を受けやすい中間調表示を行う画素部については、前述したような補正量の重畳処理を行うが、白又は黒の階調表示を行う画素部については、そのような処理を行わないという態様となることから、実際にジッタが見える階調についてのみ、ジッタの視認を困難とするという作用効果を効率的に享受することが可能となる。
【００５１】
本発明の電気光学装置の他の態様では、前記走査線駆動回路は、一の走査線の選択を一の極性で行った後には、次に選択すべき走査線を前記一の極性とは反転した関係にある他の極性で選択する。
【００５２】
この態様によれば、液晶等の電気光学物質に、連続して直流電流が流れることを防止することができ、その劣化を防ぐことが可能となる。
【００５３】
本発明の電気光学装置の他の態様では、前記走査線駆動回路は、一の垂直走査期間における一の走査線の選択を一の極性で行った後には、当該一の走査線を次に選択するための垂直走査期間において、当該一の走査線を前記一の極性とは反転した関係にある他の極性で選択する。
【００５４】
この態様においても、前記と同様の理由により、液晶等の電気光学物質の劣化を防ぐことが可能となる。
【００５５】
本発明の電気光学装置の他の態様では、前記画素部は、前記走査線及び前記データ線のいずれか一方にその一端が接続された二端子型スイッチング素子と、前記走査線及び前記データ線のいずれか他方と、前記二端子型スイッチング素子の他端に接続された画素電極との間に電気光学物質が挟持された容量とを備えている。
【００５６】
この態様のように、二端子型スイッチング素子を用いると、三端子型スイッチング素子を用いた構成と比較して、配線間の短絡不良が原理的に発生しない点や、製造プロセスが簡略化される点などにおいて有利である。
【００５７】
本発明の電気光学装置の一態様では、前記二端子型スイッチング素子は、導電体、絶縁体及び導電体の構造を有する。
【００５８】
この態様によれば、いずれかの導電体が、そのまま走査線又はデータ線として用いることが可能であり、また、絶縁体は該導電体自体を参加することで形成可能である。
【００５９】
本発明の電気光学装置の駆動方法は、上記課題を解決するために、走査線とデータ線との交差領域に対応して設けられた画素電極を含む画素部を駆動する電気光学装置の駆動方法であって、一の垂直走査期間中において、前に選択した走査線から少なくとも１本以上離れた走査線を選択するステップと、該走査線の選択中に、前記データ線の一には、本来表示すべき階調に一の補正量を重畳させた階調を表すデータ信号を供給するとともに、前記データ線の他の一には、本来表示すべき階調に前記一の補正量とは異なる値の別の補正量を重畳させた階調を表すデータ信号を供給することで、これらのデータ線及び前記選択された走査線の交差領域における前記画素部を駆動するステップとを含む。
【００６０】
本発明の電気光学装置の駆動方法によれば、前述の本発明の電気光学装置を好適に運用することが可能となる。そして、これにより、ジッタの分断という作用効果を得ることができ、インターレース駆動という低消費電力駆動が可能であるにもかかわらず、高品質な画像の表示をも同時に実現することができる。
【００６１】
本発明の電気光学装置の駆動方法の一態様では、前記一の垂直走査期間において選択された走査線を別の垂直走査期間中において選択するステップと、該走査線の選択中に、前記データ線の一には、本来表示すべき階調に前記一の補正量とは打ち消しあう関係にある補正量を重畳させた階調を表すデータ信号を供給するとともに、前記データ線の他の一には、本来表示すべき階調に前記別の補正量とは打ち消しあう関係にある補正量を重畳させた階調を表すデータ信号を供給することで、これらのデータ線及び前記選択された走査線の交差領域における前記画素部を駆動するステップとを更に含む。
【００６２】
この態様によれば、前記本来表示すべき階調の表示を好適に実現することができる。
【００６３】
そして、この態様では特に、前記一の補正量及び前記一の補正量とは打ち消しあう関係にある補正量は、その値が同じで極性が反転した関係にあり、かつ、前記別の補正量及び前記別の補正量とは打ち消しあう関係にある補正量は、その値が同じで極性が反転した関係にあるようにするとよい。
【００６４】
このような構成によれば、例えば、一の補正量が＋ΔＧ、これと打ち消しあう関係にある補正量が−ΔＧということになり、当該画素部では、正味本来表示すべき階調Ｇのみが表示されるような形となる。
【００６５】
なお、この構成においては更に、前記一の補正量及び前記別の補正量とは打ち消しあう関係にある補正量が同一の値を有し、前記別の補正量及び前記一の補正量とは打ち消しあう関係にある補正量が同一の値を有するような構成としてもよい。この場合、例えば、一の補正量が＋ΔＧであるときには、別の補正量とは打ち消しあう関係にある補正量もまた＋ΔＧとなり、同時に、別の補正量は−ΔＧとなるから、一の補正量とは打ち消しあう関係にある補正量もまた−ΔＧとなる。
【００６６】
本発明の電子機器は、上述の本発明の電気光学装置（但し、その各種態様を含む。）を具備してなる。
【００６７】
本発明の電子機器によれば、上述の本発明の電気光学装置を具備してなるから、低消費電力駆動が可能であるにもかかわらず、ジッタ等の画像ムラが発生しない高品質な画像を表示することの可能な、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００６８】
本発明のこのような作用及び他の利得は次に説明する実施の形態から明らかにされる。
【００６９】
【発明の実施の形態】
以下では、本発明の実施の形態について図を参照しつつ説明する。以下の実施形態は、本発明の電気光学装置を液晶装置に適用したものである。
【００７０】
＜電気光学装置の概要＞
最初に、本発明の実施形態に係る電気光学装置の概要について、図１乃至図３を参照しながら説明する。なお、以下では、本実施形態に係る電気光学装置の概要を、その電気的構成及び機械的構成に分けた上で説明する。
【００７１】
＜電気的構成＞
まず、本実施形態に係る電気光学装置の電気的構成について、図１を参照しながら説明する。ここに図１は、本実施形態に係る電気光学装置の電気的構成を示す斜視図である。
【００７２】
図１において、電気光学装置は、複数のデータ線（セグメント電極）２１２が列（Ｙ）方向に延在して形成される一方、複数の走査線（コモン電極）３１２が行（Ｘ）方向に延在して形成されている。これらデータ線２１２及び走査線３１２間には電気光学物質の一例たる液晶が挟持されており、データ線２１２に接続された画素電極２３４（後述）及び走査線３１２を一対の電極、前記液晶１６０を誘電体とする液晶容量１１８が構成されている。そして、データ線２１２と走査線３１２との各交差領域には、液晶容量１１８に対する電荷の印加を制御する、スイッチング素子としてのＴＦＤ２２０が、該液晶容量１１８に直列に接続されている。本実施形態では、以上述べた画素電極２３４、走査線３１２の一部、液晶容量１１８及びＴＦＤ２２０によって、画素部１１６が構成されている。
【００７３】
また、前記走査線３１２には、走査線駆動回路３５０が接続されており、これにより走査線３１２の各々に対して、走査信号が供給される。より具体的には、走査線駆動回路３５０は、複数の走査線３１２一本一本を、後述するような順序で「選択」する作用を担い、選択された走査線３１２に対しては選択電圧が、そうでない走査線３１２に対しては非選択電圧が、それぞれ供給されることになる。また、前記データ線２１２には、データ線駆動回路２５０が接続されており、これによりデータ線２１２の各々に対しては、データ信号が供給される。なお、本実施形態においては、走査線３１２の数及びデータ線２１２の数を、それぞれ一般に、ｍ本及びｎ本あるものとする。一方、制御回路４００は、階調データ（後述）や、各種制御信号、クロック信号などを供給して、両者を制御するものである。また、駆動電圧形成回路５００は、電圧＋Ｖｓ、−Ｖｓ、＋Ｖｄ／２及び−Ｖｄ／２の四値の電圧を生成する。
【００７４】
ここで本実施形態において、走査線３１２やデータ線２１２に印加される電圧の極性基準は、データ線２１２に印加されるデータ電圧±Ｖｄ／２の中間電圧（仮想電圧）であり、これよりも高電位側を正極とし、低電位側を負極としている。すなわち、本明細書において使用される「極性」、その「反転」等の用語は、単に、プラス電圧とマイナス電圧、あるいはその交換という意味ではなく、例えば、＋Ｖ１という電圧と＋Ｖ２という電圧との間の電圧を基準とした場合における、これら＋Ｖ１及び＋Ｖ２の交換という意味をも含む。
【００７５】
＜機械的構成＞
次に、本実施形態に係る電気光学装置の機械的な構成について、図２及び図３を参照しながら説明する。ここに図２は、電気光学装置の全体構成を示す斜視図であり、図３は、この電気光学装置をＸ方向に沿って破断した場合の構成を示す部分断面図である。
【００７６】
これらの図に示されるように、電気光学装置は、観察者側に位置する対向基板３００と、その背面側に位置する素子基板２００とが、スペーサを兼ねる導電性粒子（導通材）１１４の混入されたシール材１１０によって、一定の間隔を保って貼り合わせられるとともに、この間隙に例えばＴＮ（Ｔｗｉｓｔｅｄ　Ｎｅｍａｔｉｃ）型の液晶１６０が封入された構成となっている。なお、シール材１１０は、図２に示すように、対向基板３００の内周縁に沿って枠状に形成されるが、その一部には、液晶１６０を封入するための開口部１１２が形成されている。この開口部１１２は、液晶１６０の封入後には、封止材によって封止される。また、図２からわかるように、素子基板２００の外形形状は、対向基板３００のそれよりも若干大きめに形成されており、両者が貼り合わされた状態では、前者が後者より、いわば「張り出す」ような形となる。
【００７７】
対向基板３００の、液晶１６０に対向する側の面（以下、「対向面」という。）には、行方向に延在して形成される走査線３１２のほか、所定の方向にラビング処理が施された配向膜３０８が形成されている。ここで、対向基板３００に形成された走査線３１２は、図３に示すように、素子基板２００に形成された配線３４２の一端に、シール材１１０に分散された導電性粒子１１４を介して接続されている。すなわち、対向基板３００に形成された走査線３１２は、導電性粒子１１４及び配線３４２を介して、素子基板２００側に引き出された構成となっている。一方、対向基板３００の外側（観察側）には、偏光子１３１が貼り付けられて、その吸収軸が、配向膜３０８へのラビング処理の方向に対応して設定されている。
【００７８】
また、素子基板２００の対向面には、Ｙ方向に延在して形成されるデータ線２１２に隣接して矩形状の画素電極２３４が形成されるほか、所定の方向にラビング処理が施された配向膜２０８が形成されている。一方、素子基板２００の外側（観察側の反対側）には偏光子１２１が貼り付けられて（図２では省略）、その吸収軸が、配向膜２０８へのラビング処理の方向に対応して設定されている。このほかに、素子基板２００の外側には、均一に光を照射するバックライトユニットが設けられるが、本件とは直接には関係しないので、図示を省略している。
【００７９】
続いて、表示領域外について説明すると、図２に示すように、対向基板３００から張り出した素子基板２００上の二辺には、データ線２１２を駆動するためのデータ線駆動回路２５０、及び、走査線３１２を駆動するための走査線駆動回路３５０が、それぞれＣＯＧ（Ｃｈｉｐ　Ｏｎ　Ｇｌａｓｓ）技術により実装されている。これにより、データ線駆動回路２５０は、データ線２１２にデータ信号を直接的に供給する一方、走査線駆動回路３５０は、配線３４２及び導電性粒子１１４を介して、走査線３１２に走査信号を間接的に供給する構成となっている。
【００８０】
また、データ線駆動回路２５０が実装される領域の外側近傍には、ＦＰＣ（Ｆｌｅｘｉｂｌｅ　Ｐｒｉｎｔｅｄ　Ｃｉｒｃｕｉｔ）基板１５０が接合されて、制御回路などによる各種信号や電圧信号などが、走査線駆動回路３５０及びデータ線駆動回路２５０に供給される。
【００８１】
なお、図１におけるデータ線駆動回路２５０及び走査線駆動回路３５０は、図２とは異なり、それぞれ電気光学装置の左側及び上側にそれぞれ位置しているが、これは、電気的な構成を説明するための便宜上の措置に過ぎない。また、データ線駆動回路２５０及び走査線駆動回路３５０を、それぞれ素子基板２００上にＣＯＧ実装する代わりに、例えば、ＴＡＢ（Ｔａｐｅ　Ｃａｒｒｉｅｒ　Ｐａｃｋａｇｅ）技術を用いて、各駆動回路が実装されたＴＣＰを異方性導電膜により電気的に接続する構成としてもよい。
【００８２】
＜画素部の構成＞
以下では、概ね上述のような概要を備える電気光学装置を構成する画素部１１６の詳細について、図４を参照しながら説明する。ここに図４は、画素部１１６の構成を示す破断斜視図である。なお、図４では、画素部１１６の主要な構成を示すに留まり、図３に示されていた配向膜２０８及び３０８、偏光子１２１及び１３１の図示は省略している。
【００８３】
図４において、素子基板２００の対向面には、ＩＴＯ（Ｉｎｄｉｕｍ　Ｔｉｎ　Ｏｘｉｄｅ）等の透明導電性材料からなる矩形状の画素電極２３４がマトリクス状に配列されている。このうち同一列に配列されている画素電極２３４が、１本のデータ線２１２に、それぞれＴＦＤ２２０を介して共通接続されている。ここでＴＦＴ２２０は、基板側からみると、タンタル単体やタンタル合金などから形成され、かつ、データ線２１２からＴ字状に枝分かれした第１の導電体２２２と、この第１の導電体２２２を陽極酸化させた絶縁体２２４と、クロム等の第２の導電体２２６とから構成されて、導電体、絶縁体、導電体のサンドイッチ構造をとる。このため、ＴＦＴ２２０は、電流・電圧特性が正負双方向にわたって非線形となるダイオードスイッチング特性を有することになる。
【００８４】
なお、素子基板２００の上面には、下地として透明性を有する絶縁膜２０１が形成されている。この絶縁膜２０１は、第２の導電体２２６の堆積後における熱処理により、第１の導電体２２２が剥離しないようにするため、及び、第１の導電体２２２に不純物が拡散しないようにするために設けられている。したがって、これらが問題とならない場合には、絶縁膜２０１は省略可能である。
【００８５】
一方、対向基板３００の対向面には、ＩＴＯ等からなる走査線３１２が、データ線２１２とは直交する行方向に延在し、かつ、画素電極２３４に対向する位置に配列されている。これにより、走査線３１２は、画素電極２３４の対向電極として機能することになる。したがって、図１における液晶容量１１８は、データ線２１２及び走査線３１２の交差領域において、当該走査線３１２及び画素電極２３４と両者の間に挟持された液晶１６０とによって構成されることになる。
【００８６】
このような構成において、データ線２１２に印加されているデータ電圧にかかわらず、ＴＦＤ２２０がオンする選択電圧を走査線３１２に印加すると、当該走査線３１２及び当該データ線２１２の交差に対応するＴＦＤ２２０がオンして、オンしたＴＦＤ２２０に接続された液晶容量１１８に、当該選択電圧及び当該データ電圧の差に応じた電荷が蓄積される。電荷蓄積後、走査線３１２に非選択電圧を印加して、当該ＴＦＤ２２０をオフさせても、液晶容量１１８における電荷の蓄積が維持される。
【００８７】
ここで、液晶容量１１８に蓄積される電荷量に応じて、液晶１６０の配向状態が変化するので、偏光子１２１及び１３１を通過する光量もまた、それに応じて変化する。したがって、選択電圧が印加されたときのデータ電圧によって、液晶容量１１８における電荷の蓄積量を画素毎に制御することで、所定の階調表示が可能となる。
【００８８】
＜駆動方法＞
以下では、上述のように構成された電気光学装置ないし画素部１１６の駆動方法について説明する。なお、本実施形態では、駆動方法として、いわゆる四値駆動法（１Ｈセレクト、１Ｈ反転）を基礎とした説明を行う。したがって、以下ではまず、四値駆動法（１Ｈセレクト、１Ｈ反転）の基本的な説明を行った後、これに本発明に係る駆動方法を適用した実施形態について説明することとする。ただし、本発明は、このような形態に限定されるものではなく、その他種々の駆動法（例えば、四値駆動法（１Ｈセレクト、１／２Ｈ反転）等）についても、同様に当てはめることが可能であることは言うまでもない。
【００８９】
まず、四値駆動法（１Ｈセレクト、１Ｈ反転）の基本的な説明を行う。図５は、この駆動方法において、ｉ行（１≦ｉ≦ｍを満たす整数）、ｊ列（１≦ｊ≦ｎを満たす整数）の画素部１１６に印加される走査信号Ｙｉとデータ信号Ｘｊとの波形例を示す図である。
【００９０】
この図における四値駆動法は、走査信号Ｙｉとして、一水平走査期間（１Ｈ）に選択電圧＋Ｖｓを印加した後、非選択期間（保持期間）に非選択電圧＋Ｖｄ／２を印加するとともに、前回の選択から一垂直走査期間（１Ｆ）を経過すると、今度は選択電圧−Ｖｓを印加して、非選択期間に非選択電圧−Ｖｄ／２を印加するという動作を繰り返す一方、データ信号Ｘｊとして電圧±Ｖｄ／２のいずれかを印加する、というものである。
【００９１】
そして、本実施形態においては、ある走査線３１２への走査信号Ｙｉとして選択電圧＋Ｖｓを印加すると、その次の行に位置する走査線３１２への走査信号Ｙｉ＋１として選択電圧−Ｖｓを印加する、というように一水平走査期間（１Ｈ）ごとに選択電圧の極性が反転される動作も行われる。ただし、この駆動方法はあくまでも基本の形態であり、本実施形態においては、後述するようにインターレース駆動が行われることから、ある走査線３１２に走査信号Ｙｉが印加された後（すなわち、該走査線３１２が選択された後）は、一般に、該走査線３１２よりもｎ本離れた走査線３１２に対し、走査信号Ｙｉ＋ｎが印加されるということになる。そして、これらの走査信号Ｙｉ及びＹｉ＋ｎとが極性の反転した関係にある。この点については、後に改めて触れる。
【００９２】
一方、データ信号Ｘｊの電圧は、選択電圧＋Ｖｓを印加する場合であって、画素部１１６を、黒色表示とするときには−Ｖｄ／２となり、白色表示とするときには＋Ｖｄ／２となる。また、選択電圧−Ｖｓを印加する場合には、いま述べたのとちょうど逆となる。
【００９３】
さらに、白と黒の間の中間調の表示を行うためには、データ信号の印加時間を調整すればよい。例えば、白色及び黒色をその両極端として含む８階調表示を行おうとする場合、走査線３１２に選択電圧が印加される期間内を７分割した時間幅を想定し、図６に示すように、その時間幅の２つ以上６つ以下の期間に対して＋Ｖｄ／２又は−Ｖｄ／２を印加する、等とすればよい。この場合、上述で述べた白色表示又は黒色表示は、７つの時間幅すべてにわたって、＋Ｖｄ／２又は−Ｖｄ／２が印加される場合であることは言うまでもない（図６のデータ信号Ｘｊの最上段及び最下段参照）。ただし、図６は、選択電圧が＋Ｖｄの場合であり、選択電圧が−Ｖｄの場合には、これとはちょうど逆の関係になる。具体的には、図６における下段から順に、（０００）、（００１）、…、（１１１）というように読み替えたものを想定すればよい。
【００９４】
これによれば、データ信号Ｘｊが印加されている時間に応じて、液晶容量１１８にかかる実効電圧値が段階的に変化することになるから、その光透過率も段階的に変化することになり、中間調の表示が可能となるのである。
【００９５】
なお、図６の左の列に示されている（ｓｐｑ）（ｓ，ｐ及びｑは、０又は１）は、ｊ列目のデータ線２１２に供給されるデータ信号Ｘｊに対応する階調データを表している。また、上で述べた電圧のプラス・マイナスは、本実施形態に係る電気光学装置がノーマリホワイトモードで駆動される場合に該当する。ノーマリブラックモードで駆動される場合においては、前述のプラス・マイナスはすべて逆になる。
【００９６】
ちなみに、上述のような場合、前記時間幅の一つ一つを一単位と捉えるとともに、この一単位に＋Ｖｄ／２又は−Ｖｄ／２を印加する態様を「パルス信号の印加」と捉えるならば、上述のような中間調表示は、「パルス幅変調」により実現されているということができる。
【００９７】
以上が、基本的な四値駆動法の概略である。
【００９８】
そして、本実施形態においては特に、このような四値駆動法を基礎として、インターレース駆動を行う。ここで、本実施形態に係るインターレース駆動とは、上述のように、行ごとに順次１本ずつ極性を反転させて走査線３１２を選択していくのではなく、該走査線３１２をいわば飛び飛びに選択していく方法である。
【００９９】
より具体的には、例えば図７に示すようなものとなる。この図７において、２番目のフィールド（２ｆ）では、２行目の走査線３１２を選択電圧＋Ｖｄで駆動したら、次には、４行目の走査線３１２を選択電圧−Ｖｄで駆動し、その次には、６行目の走査線３１２を選択電圧＋Ｖｄで駆動する、というように、以下順次、偶数行目の走査線３１２に対する選択電圧の印加を実行しつつ、その極性を反転させていくのである。そして、続く３番目のフィールド（３ｆ）においては、１行目の走査線３１２を選択電圧−Ｖｄで駆動したら、次には、３行目の走査線３１２を選択電圧＋Ｖｄで駆動する、というように、以下順次、奇数行目の走査線３１２に対する選択電圧の印加を実行しつつ、その極性を反転させていく。この場合例えば、３番目のフィールドにおける３行目の走査線３１２はプラス極性で駆動されており、２番目のフィールドにおける同走査線３１２では、マイナス極性で駆動されるというように、フィールド間の反転駆動も実現されていることがわかる。ちなみに、１番目のフィールド（１ｆ）では、上述のようなフィールド間における反転が実現されるように、１、２、３、…行目の走査線３１２に対して、＋、−、−、＋、＋、−、−、…というような、一種特殊な反転駆動が行わる（図７参照）。これにより、２フィールド目以降において、飛び飛びに走査線３１２を駆動する態様にあっても、先順位及び次順位の走査線３１２（例えば、２フィールド目における１行目及び３行目等）間における反転駆動と、先順位及び次順位のフィールド間における同一の走査線３１２（例えば、１フィールド目と２フィールド目における１行目の走査線）間における反転駆動とを好適に実現することが可能となる。
【０１００】
ところで、このようなインターレース駆動方式をそのままの形で適用すれば、背景技術の項で述べたようなジッタの問題が発生する。以下、その発生機構について順次説明する。
【０１０１】
まず、図４に示したように、本実施形態に係る電気光学装置では、各画素部１１６において画素電極２３４を備えているが、このような画素電極２３４間には、いわゆる容量カップリングないし寄生容量が生じている。そして、この場合、ある走査線３１２に上述したような選択電圧Ｙｊを加えるとともにデータ線２１２にデータ信号Ｘｊを加えると（すなわち、画素部１１６に対する書き込みを実施すると）、その変化に応じ、寄生容量を介して隣接する画素電極２３４ないし液晶容量１１８に蓄えられている電位に変動をもたらすことになる。すなわち、隣接する画素電極２３４に対応する走査線３１２に沿う画像上の部分が、明るくなったり、又は暗くなったりすることとなるのである。本願発明者の検討によれば、駆動対象となっている走査線３１２を、それに隣接する走査線３１２と逆極性で駆動する場合においては、該隣接する走査線３１２に沿う部分で画像は暗くなり、正極性で駆動する場合においては、画像は明るくなることが確認されている。
【０１０２】
ところで、インターレース駆動は、上述したように走査線３１２を飛び飛びで駆動する方式である。図７に示されているところによれば、あるフィールドにおいてｉ行目の走査線３１２を駆動すると、次のフィールドにおいてはｉ＋１行目の走査線３１２を駆動するということになる。つまり、フィールドが移るにつれて、駆動される走査線３１２の行数は順次降下していくことになるから、上述のような電位変動を受ける液晶容量１１８に対応する走査線３１２も順次降下していくことになる。具体的には例えば、２フィールド目の２行目の走査線３１２を駆動する際には、それに隣接する１行目（又は３行目）の走査線３１２に対応する液晶容量１１８の電位に変動をもたらすことになるが、続く３フィールド目では、３行目の走査線３１２が駆動されることで、２行目（又は４行目）の走査線３１２に対する液晶量１１８の電位変動がもたらされることになる。ちなみに、このような事象は、見方を変えれば、フィールドが移るにつれて、電位変動がもたらされる画素電極２３４に対応する走査線３１２の行数が順次上昇していく、と捉えることが可能であることをも意味する。
【０１０３】
いずれにせよ、上述のようなことから、画素電極２３４間に生じる容量カップリングを介した電位変動を原因とする、走査線３１２に沿った画像上の濃淡は、１フィールドごとにずれていくことがわかる。特に、図７に示すような、走査線３１２を１本おきに選択していくインターレース駆動を実施する場合においては、このような画像ムラは、画像上で経時的に、かつ、なめらかに上下変動するようなもの、すなわちジッタとなるのである。このようなジッタは、原理上、画像上の至るところに隈なく発生することとなるので、これによる画質の劣化を防ぐことは一般に困難である。
【０１０４】
そこで、本実施形態においては特に、次に記すような駆動方法を採用することによって、前記ジッタの問題を有効に解消する。以下、これを詳細に説明する。
【０１０５】
まず、本実施形態においては、データ線２１２に供給すべきデータ信号Ｘｊについて、工夫を加える。すなわち、図８に示すように、例えば、あるデータ線２１２において、図６に示した８階調表示のうちの一をその内容とするデータ信号Ｘｊ（図８では、階調データ（０１０）の場合が示されている。）を印加する場合において、補正量ΔＧに基づく適当な階調変換を行うのである。なお、本実施形態における補正量ΔＧは、階調を表す単位で表されるものとする。また、図８では、所定のパルス幅を有するデータ信号Ｘｊに対し、補正量ΔＧに対応する時間幅ＴΔＧを加算又は減算することによって、そのパルス幅に変化をもたらし、階調を補正することが示されている。
【０１０６】
ここで、この補正量ΔＧとは、走査線３１２及びデータ線２１２の交差領域、すなわち画素部１１６に対応するように、それぞれ固有の値を有する。また、前記交差領域の一つに着目した場合における補正量ΔＧは、フレーム毎に極性が反転するという性質を有している。すなわち、ある一のフレーム上における、ある一の交差領域で、補正量が＋ΔＧである場合には、他のフレームにおける当該一の交差領域では、−ΔＧであるというようである。より一般的に言えば、ある交差領域における補正量ΔＧは、一枚の画像を表示するためのフレーム間で、互いに打ち消しあうような値を有していることになる。
【０１０７】
このような属性を有する補正量ΔＧは、具体的には例えば、図９（ａ）及び（ｂ）に示すようなものとなる。ここに図９は、仮に、補正量ΔＧに対応するデータ信号ＸΔＧのみで画像表示を行うとした場合における当該画像の表示例を示す説明図である。この図９によれば、本実施形態における補正量ΔＧの有する性質を、視覚的に確認することができる。
【０１０８】
図９において、走査線３１２及びデータ線２１２の交差領域が、それぞれ升目で表されている。そして、補正量ΔＧ、あるいはデータ信号ＸΔＧは、相隣接する升目間で濃淡が交互に現れる市松模様のパターンを描くような値を有している。なお、ここでいう「濃淡」とは特別に、一方が＋ΔＧ（濃）であり、他方が−ΔＧ（淡）であることを意味する。また、一の升目ないし交差領域に着目すると、フレーム間（図９（ａ）及び（ｂ）間）では、一方においては＋ΔＧ、他方においては−ΔＧというように、互いに打ち消しあう関係にあることもわかる。例えば、図９（ａ）の左上隅の升目は濃く、図９（ｂ）の同じ位置における升目は薄くなっている。
【０１０９】
本実施形態では、このような補正量ΔＧに基づき、所定の手順に従って、図８に示したようなデータ信号Ｘｊに対する補正処理を行うのである。
【０１１０】
以下では、この「所定の手順」について図１０並びに図１１及び図１２を参照しながら説明する。ここに図１０は、本来表示すべき、あるいは表示したい画像の表示例を示す説明図であって、ここでは説明の便宜上、左右それぞれの半面を異なる階調で塗り潰すような簡単な画像を表示する例が示されている。また、図１１及び図１２は、図１０に示す画像を表示するためのデータ信号Ｘｊに対し、図９（ａ）又は（ｂ）に示す補正量ΔＧに基づき図８のような補正を加えることで得られるデータ信号Ｘｊ´を用いるとともに、インターレース駆動を行って画像を表示させた場合における当該画像の表示例を経時的に示す説明図である。なお、図１０並びに図１１及び図１２は、それぞれ画像全体の極一部を示しているに過ぎない。また、以下では便宜上、図７に示したようなインターレース駆動を実施する場合における、２フィールド目から５フィールド目を使って、一枚の画像を表示する場合について説明する。
【０１１１】
まず、最終的に図１０に示すような画像を表示すべく、２フィールド目においては、偶数行に位置する走査線３１２に対して、順次、選択電圧＋Ｖｄ及び−Ｖｄを交互に印加するとともに（図７参照）、データ線２１２に対して、本来のデータ信号Ｘｊに図９（ａ）に示す補正量ΔＧに基づく変形を加えたデータ信号Ｘｊ´を供給する。
【０１１２】
すると、この２フィールド目が終了した段階では、図１１（ａ）に示すような画像が表示されることになる。この図からわかるように、例えば図中一番上の走査線３１２に着目すると、その最左端に位置する交差領域Ｃ１では、図１０に示す図中左半面の階調に図９（ａ）の同じ位置における補正量−ΔＧが加算されるため、より薄い階調の表示が行われることとなる一方、図１１（ａ）中その右隣の交差領域Ｃ２では、図９（ａ）に示す同じ位置における補正量＋ΔＧが加算されるため、より濃い階調の表示が行われることになる。また、画像の右半面については、基準となる階調が異なるだけで、上述と同様に、補正量＋ΔＧ及び−ΔＧの加算が行われた上での画像表示が行われることになる。
【０１１３】
次に、３フィールド目においては、奇数行に位置する走査線３１２に対して、順次、選択電圧−Ｖｄ及び＋Ｖｄを交互に印加するとともに、データ線２１２に対して、図９（ａ）に示す補正量ΔＧを加味したデータ信号Ｘｊ´を供給する。すると、この３フィールド目における画素部１１６への書き込みのみに基づく画像は、図１１（ｂ）に示すようなものとして得られることになる。また、その結果、この３フィールド目が終了した段階では、図１１（ｂ）に示すような画像と、従前の図１１（ａ）とを重ね合わせた画像が表示されることになる。
【０１１４】
以上、ここまでによれば、図１０に示す本来表示すべき画像に対して、図９（ａ）に示す市松模様のパターンを重ね合わせた画像が表示されることになる。
【０１１５】
続いて、４フィールド目においては、２フィールド目におけるのと同様に、再び偶数行に位置する走査線３１２に対して選択電圧＋Ｖｄ及び−Ｖｄを交互に印加して、該走査線３１２を順次選択していくことになる。ただし、この４フィールド目では、２フィールド目において選択電圧＋Ｖｄ（又は−Ｖｄ）が印加されている走査線３１２に対しては選択電圧−Ｖｄ（又は＋Ｖｄ）を印加する。また、この４フィールド目では、図９（ａ）に示す市松模様のパターンを用いるのではなく、図９（ｂ）に示すそれを用いる。つまり、補正量＋ΔＧ及び−ΔＧの位置が図９（ｂ）とはちょうど反転した関係にあるパターンを加味したデータ信号Ｘｊ´を用いるのである。
【０１１６】
すると、この４フィールド目における画素部１１６への書き込みのみに基づく画像は、図１２（ｃ）に示すようなものとして得られることになる。また、その結果、この４フィールド目が終了した段階では、図１２（ｃ）に示すような画像と、従前の図１１（ａ）及び（ｂ）とを重ね合わせた画像が表示されることになる。
【０１１７】
更に、５フィールド目においては、３フィールド目におけるのと同様に、再び奇数行に位置する走査線３１２に対して選択電圧＋Ｖｄ及び−Ｖｄを交互に印加して、該走査線３１２を順次選択していくとともに、図９（ｂ）に示す市松模様のパターンを用いて生成したデータ信号Ｘｊ´を各データ線２１２に印加していく。すると、この５フィールド目における画素部１１６への書き込みのみに基づく画像は、図１２（ｄ）に示すようなものとして得られることになる。また、これによって、この５フィールド目が終了した段階では、図１２（ｄ）に示すような画像と、従前の図１１（ａ）及び（ｂ）並びに図１２（ｃ）とを重ね合わせた画像が表示されることになる。
【０１１８】
以上のような結果、この段階に至って、図１０に示す本来表示すべき画像に略同一の画像が表示されることになる。これは例えば、図１１（ａ）及び図１２（ｃ）における最上段の走査線３１２の最左端の交差領域Ｃ１に着目し、該交差領域Ｃ１における本来表示すべき画像（図１０）の階調をＧとすれば、図１１（ａ）の１フィールド目においては、Ｇ−ΔＧなる階調表示が行われ、図１２（ｃ）の３フィールド目においては、Ｇ＋ΔＧなる階調表示が行われるためである。すなわち、これら両者の加算平均値をとると、（（Ｇ−ΔＧ）＋（Ｇ＋ΔＧ））／２＝Ｇとなり、本来表示すべき画像の階調が得られることになるのである。
【０１１９】
ところで、このような図１１（ａ）から図１２（ｄ）に至る画素部１１６に対する書き込みにおいては特に、前述のジッタの発生が極力抑えられることになる。これは、以下のような事情による。
【０１２０】
すなわち、例えば図１１（ｂ）において、その図中上から３行目に位置する走査線３１２に対応する画素電極２３４に対してデータ信号Ｘｊ´の書き込みを行う際には、該画素電極２３４と図中その上に位置する２行目の走査線３１２に対応する画素電極２３４との間で、上述したような容量カップリングが生じることにより、該２行目の走査線３１２に沿うような形で画像上の明暗が生じることになる。上記の場合では、図１１（ｂ）の３行目の走査線３１２と、その１フィールド前の図１１（ａ）の２行目の走査線３１２とは、いずれも選択電圧＋Ｖｄで駆動されているから（図７参照）、図１１（ｂ）の２行目の走査線３１２に沿うように現れる画像ムラ、すなわちジッタは、明るい画像ムラとして表示されることになる。
【０１２１】
ここで本実施形態においては、上述したように、走査線３１２方向に交互に、２ΔＧだけ階調が異なるデータ信号Ｘｊ´を用いることにより、前記ジッタの明るさの程度は、それに応じたようなものとなる。すなわち、当該２行目の走査線３１２上のジッタは、図中左から順に、より明るい、やや明るい、より明るい、というような順番に従って現れることとなり、その結果、該ジッタは、列方向に分断されるような形で表示されることとなる。このような事象は、図１１（ｂ）以外の、図１１（ａ）並びに図１２（ａ）及び図１２（ｂ）においても全く同様にみられる。
【０１２２】
また、本実施形態では更に、例えば、いま着目した図１１（ｂ）の２行目の走査線３１２におけるジッタと、図１１（ａ）の１行目の走査線３１２におけるジッタとの関係をみると、該ジッタの経時的な分断もなされていることがわかる。すなわち、図１１（ａ）における１行目の走査線３１２では、その下の２行目の走査線３１２に対応する画素部１１６への信号書き込みに応じて、上述したような列方向に分断されたジッタがやはり発生している。そして、このジッタは、前記２行目の走査線３１２における階調表示が左から順に−ΔＧ、＋ΔＧ、−ΔＧ、…となっていることに応じ、やや明るい、より明るい、やや明るい、というような順番に従って現れることになる。ここで、このジッタと、上述した図１１（ｂ）の２行目の走査線３１２におけるジッタとを列方向に沿って比較すれば、前者でやや明るかったものが、後者でより明るいものとなり、前者でより明るかったものが、後者でやや明るいということになる。つまり、経時的にみても、ジッタは分断されることとなるのである。これは、補正量ΔＧが、視覚的に市松模様のパターンで表されるようなものであったことによる（図９参照）。
【０１２３】
このように、本実施形態に係る電気光学装置、あるいはその駆動方法によれば、まず、従来においては横一線で一様にみえた画像ムラ、すなわちジッタが、データ線２１２の数に応ずるような幅でもって分断されるような形で表示されることになるから、結果的に、該ジッタを視認することができない画像を表示することが可能となるのである。
【０１２４】
また、視覚的に市松模様のパターンで表される補正量ΔＧを用いることによれば、ジッタの経時的な分断もまた可能となることから、ジッタがインターレース駆動に応じて上下動する画像ムラであることも視認性に大きな影響を与えることがなく、依然、高品質な画像を表示することが可能となるのである。
【０１２５】
結局のところ、本実施形態における電気光学装置では、インターレース駆動という省電力駆動が可能であるにもかかわらず、上述のようにジッタの視認を困難な状況とすることが可能、換言すれば、品質低下を極力抑制した高品質な画像を表示することが可能となるのである。
【０１２６】
ちなみに、前記ジッタは、画像全体が中間調で構成されているような場合に、とりわけ明瞭に判別できる形で現れる。これは、中間調であると、上述のような容量カップリングを介した液晶容量１１８の電位変動による画像上の明暗が、より明確な形であられることによる。したがって、上述のような補正量ΔＧを用いたインターレース駆動を適用するのは、画像の全部又は一部において、実際にジッタの見える階調表示を行う場合における当該階調表示に係る画素部についてのみ、あるいは場合により、画像全体で中間調表示を行う場合のみに限定するという態様とするとより好ましい。
【０１２７】
なお、上記実施形態では、中間調表示を行うためにパルス幅変調を行う電気光学装置について述べたが、本発明は、このような形態に限定されるものではない。例えば、電圧値を変調することによって中間調を表示する構成を備える電気光学装置に対しても、本発明の適用は当然に可能である。また、本実施形態においては、実際の階調変換は、図８に示したように、本来のデータ信号Ｘｊに対し補正量ΔＧに基づく時間幅ＴΔＧを加算又は減算することによって達成されていたが、この補正量ΔＧないし時間幅ＴΔＧの具体的大きさについても、本発明は限定されるわけではない。例えば、図８においては、時間幅ＴΔＧは、（０００）及び（００１）間、（００１）及び（０１０）間等々の一段階に対応する時間幅Ｔ（図６で言えば、図中上下に走る破線間の距離がそれに比例する。）よりも小さい値を有するように示されているが、本発明においては、前記時間幅ＴΔＧを、例えば時間幅Ｔに一致させる形態（ＴΔＧ＝Ｔ）としてもよいし、場合によっては、時間幅Ｔよりも大きくする形態（ＴΔＧ＞Ｔ）としてもよい。
【０１２８】
また、上記実施形態では、図７に示すようなインターレース駆動を行う場合について説明したが、本発明は、その他種々の形態となるインターレース駆動を行う形態に対しても、適用することが可能である。例えば、上記実施形態では、相隣接する２つのフィールドを一つの単位とするようなインターレース駆動が行われていたが、本発明ではこの他に、相隣接する３つ以上のフィールドを一つの単位とするようなインターレース駆動を行うようにしてもよい。ちなみに、この場合においては、一般的には、ある走査線３１２を選択した後には、そこから２本以上離れた走査線３１２を選択する、等という形態となる。
【０１２９】
さらに、上述の実施形態では、補正量ΔＧは、図９に示すような市松模様のパターンで表されるような性質を有するものとして説明したが、本発明は、このような形態に限定されるわけではない。例えば、インターレース駆動が、すぐ上で述べたように３フィールドを一単位として行われる場合にあっては、図１３に示すように、三つの模様を一単位とするような補正量ΔＧを想定することができる。なお、図１３は、図９と同趣旨の図ではあるが、基本となる単位のみを示しており、実際は、このようなパターンが上下左右に連なった形で利用されることになる。
【０１３０】
このような場合においては、最初のパターン１では、走査線３１２の方向に沿った補正量＋ΔＧ及び−ΔＧの出現パターンは、＋ΔＧ、−ΔＧ、−ΔＧ、…となり、相隣る走査線３１２では、−ΔＧ、＋ΔＧ、−ΔＧ、…となり、更に相隣る走査線３１２では、−ΔＧ、−ΔＧ、＋ΔＧ、…となる。そして、インターレース駆動の一単位（すなわち、３フィールド分）の駆動が完了した段階では、このパターン１を使い終わった段階に一致することになり、これに続くインターレース駆動の一単位ではパターン２が利用されることになる。以下、同様にして、パターン３まで使い終われば、再びパターン１に戻る。
【０１３１】
以上述べたように、このような場合であっても、一つの升目に着目すれば、補正量＋ΔＧ及び−ΔＧ双方の寄与があり、正味、本来表示すべき階調Ｇが表示されることとなるのは図９と全く同様である。
【０１３２】
なお、その他、種々の形態となる補正量ΔＧを想定することが可能であることは言うまでもない。
【０１３３】
（電子機器）
次に、上述した実施形態に係る電気光学装置を電子機器に用いた例について説明する。
【０１３４】
＜モバイル型コンピュータ＞
まず、上述し電気光学装置を、パーソナルコンピュータの表示部に適用した例について説明する。図１４は、このパーソナルコンピュータの構成を示す斜視図である。この図において、コンピュータ１１００は、キーボード１１０２を備えた本体部１１０４と、表示部として用いられる表示装置１００とを備えている。なお、表示装置１００として透過型液晶表示装置を用いる場合には、暗所での視認性を確保するため、背面にバックライト（図示略）が設けられる。
【０１３５】
＜携帯電話＞
次に、上述した電気光学装置を、携帯電話の表示部に適用した例について説明する。図１５は、この携帯電話の構成を示す斜視図である。この図において、携帯電話１２００は、複数の操作ボタン１２０２のほか、受話口１２０４、送話口１２０６とともに、上述した電気光学装置を表示装置１００として備えるものである。なお、表示装置１００として、液晶装置を用いる場合には、暗所での視認性を確保するため、透過型や半透過半反射型であればバックライトが、反射型であればフロントライト（いずれも図示省略）がそれぞれ設けられる。
【０１３６】
＜デジタルスチルカメラ＞
次に、上述した電気光学装置を、ファインダに用いたデジタルスチルカメラについて説明する。図１６は、このデジタルスチルカメラの背面を示す斜視図である。通常の銀塩カメラは、被写体の光像によってフィルムを感光させるのに対し、デジタルスチルカメラ１３００は、被写体の光像をＣＣＤなどの撮像素子により光電変換して撮像信号を生成するものである。ここでデジタルスチルカメラにおけるケース１３０２の背面には、上述した電気光学装置が表示装置１００として設けられ、ＣＣＤによる撮像信号に基づいて、表示を行うようになっている。このため、表示装置１００は、被写体を表示するファインダとして機能することになる。また、ケース１３０２の前面側（図においては裏面側）には、光学レンズやＣＣＤなどを含んで受光ユニット１３０４が設けられている。
【０１３７】
ここで撮影者が、表示装置１００に表示された被写像を確認して、シャッタボタン１３０６を押下すると、その時点におけるＣＣＤの撮像信号が、回路基板１３０８のメモリに転送・格納される。
【０１３８】
また、デジタルスチルカメラ１３００にあっては、ケース１３０２の側面に外部表示を行うために、ビデオ信号出力端子１３１２と、データ通信用の入力端子１３１４とが設けられている。
【０１３９】
なお、電子機器としては、これらの他、液晶テレビや、ビューファインダ型、モニタ直視型のビデオテープレコーダ、カーナビゲーションシステム、ページャ、電子手帳、電卓、ワードプロセッサ、ワークステーション、テレビ電話、ＰＯＳ端末、タッチパネルを備えた機器等が挙げられる。
【０１４０】
本発明は、上述した実施形態に限られるものではなく、請求の範囲及び明細書全体から読み取れる発明の要旨、あるいは思想に反しない範囲で適宜変更可能であり、そのような変更を伴う電気光学装置及びその駆動方法並びに電子機器もまた、本発明の技術的範囲に含まれるものである。例えば、ＴＦＴなどの三端子型スイッチング素子を用いた電気光学装置や、パッシブ・マトリクス型の電気光学装置にも適用することが可能である。また、本明細書においては電気光学物質として液晶を用いて説明したが、例えばＥＬ（エレクトロ・ルミネッセンス）を用いた電気光学装置にも適用することが可能であることは言うまでもない。
【図面の簡単な説明】
【図１】本発明の実施形態に係る電気光学装置の電気的な構成を示すブロック図である。
【図２】同電気光学装置の構成を示す斜視図である。
【図３】同電気光学装置をＸ方向で破断した場合の構成を示す部分断面図である。
【図４】同電気光学装置の要部構成を示す部分破断斜視図である。
【図５】四値駆動法（１Ｈセレクト、１Ｈ反転）における走査信号Ｙｉ及びＹｉ＋１並びにデータ信号Ｘｊの波形例を示す図である。
【図６】中間調表示を行う場合の走査信号Ｙｉ及びデータ信号Ｘｊの波形例を示す図である。
【図７】インターレース駆動法を説明するための図であって、フィールド毎に何行目の走査線が選択されるか、及び、如何なる極性で選択されるかを示す図である。
【図８】本実施形態に係る補正量に基づくデータ信号の補正例を示す説明図である。
【図９】本実施形態に係る補正量に対応するデータ信号のみで画像表示を行うとした場合における当該画像の表示例を示す図であって、（ａ）は一のフレームついての、（ｂ）はそれとは別のフレームについての図である。
【図１０】本来表示すべき画像の表示例を示す説明図である。
【図１１】図１０に示す画像を表示するためのデータ信号に対し、図９（ａ）に示す補正量に基づき図８のような補正を加えることで得られるデータ信号を用いて、画像を表示した場合における当該画像の表示例を示す図である。
【図１２】図１１に続く図であって、図１０に示す画像を表示するためのデータ信号に対し、図９（ｂ）に示す補正量に基づき図８のような補正を加えることで得られるデータ信号を用いて、画像を表示した場合における当該画像の表示例を示す図である。
【図１３】図９と同趣旨の図であって、本発明において使用し得る補正量の変形形態を示す説明図である。
【図１４】実施形態に係る電気光学装置を適用した電子機器の一例たるパーソナルコンピュータの構成を示す斜視図である。
【図１５】同電気光学装置を適用した電子機器の一例たる携帯電話の構成を示す斜視図である。
【図１６】同電気光学装置を適用した電子機器の一例たるディジタルスチルカメラの背面構成を示す斜視図である。
【符号の説明】
１１６……画素部
１１８……液晶容量
１６０……液晶
２００……素子基板
２１２……データ線
２２０……ＴＦＤ
２３４……画素電極
２５０……データ線駆動回路
３００……対向基板
３１２……走査線
３５０……走査線駆動回路
１１００……パーソナルコンピュータ
１２００……携帯電話
１３００……ディジタルスチルカメラ
【図１】
2004020639.tif 000003
【図２】
2004020639.tif 000004
【図３】
2004020639.tif 000005
【図４】
2004020639.tif 000006
【図５】
2004020639.tif 000007
【図６】
2004020639.tif 000008
【図７】
2004020639.tif 000009
【図８】
2004020639.tif 000010
【図９】
2004020639.tif 000011
【図１０】
2004020639.tif 000012
【図１１】
2004020639.tif 000013
【図１２】
2004020639.tif 000014
【図１３】
2004020639.tif 000015
【図１４】
2004020639.tif 000016
【図１５】
2004020639.tif 000017
【図１６】
2004020639.tif 000018